(57)【要約】【課題】指示部材を三次元的に回動するものとして、壁裏面に設置された配線用ボックスの設置場所を素早く探知することのできる配線用ボックス探知具を提供する。【解決手段】平面部１ａを有するベース部材１と、このベース部材１に設置された指示部材２とからなり、指示部材２は磁石棒または磁石に引き寄せられる素材からなる棒体４が球体５の中心線上に設けられており、この指示部材２を三次元的に回動するようにしたものとしている。【選択図】図５
2008051539.tif 000002
【特許請求の範囲】
【請求項１】
平面部（１ａ）を有するベース部材（１）と、このベース部材（１）に設置された指示部材（２）とからなり、指示部材（２）は磁石棒または磁石に引き寄せられる素材からなる棒体（４）が球体（５）の中心線上に設けられており、この指示部材（２）を三次元的に回動するようにしたことを特徴とする配線用ボックス探知具。
【請求項２】
前記指示部材（２）を、球体（５）の中心点を中心として向かい合う球体（５）表面上の２支点をこの球体（５）を包囲する円形状のリング体（６）に軸支し、さらにリング体（６）の中心点を中心として向かい合うリング体（６）表面上の２支点をベース部材（１）に対向するように突設した支持体（７、７）に軸支したことを特徴とする請求項１記載の配線用ボックス探知具。
【請求項３】
前記棒体（４）の両端を球体（５）表面に露出させたものとし、この棒体（４）の両端に目印を付けたことを特徴とする請求項１記載の配線用ボックス探知具。
【請求項４】
前記棒体（４）の両端を球体（５）表面に露出させないものとし、この棒体（４）の両端の延長線上の球体（５）表面に目印を付けたことを特徴とする請求項１記載の配線用ボックス探知具。
【請求項５】
前記指示部材（２）を、ベース部材（１）に突設した透明なドーム部材（８）内にこのドーム部材（８）の内面に沿うようにして配置したことを特徴とする請求項１記載の配線用ボックス探知具。
【発明の詳細な説明】
【技術分野】
【０００１】
この発明は、壁裏面に設置された電気スイッチ、コンセント等の配線用ボックスの設置場所を壁表面から探知することができる配線用ボックス探知具に関するものである。
【背景技術】
【０００２】
従来、壁裏面に設置される配線用ボックスは、その設置場所を壁表面から探知具によって探知できるように、例えば図１３に示されるように、プラスチック製のボックスＢの適宜個所に磁石Ｍを装着したものとしたり（特許文献１）、図１４、１５に示されるように、長尺部材の中央に設けた保持部２１に磁石Ｍを保持すると共に両端に取付部２２を設けた被探知部材Ａを、プラスチック製のボックスＢの上下に設けた取付孔２３に着脱自在として取り付けたものとしていた（特許文献２）。
【０００３】
そして、前記配線用ボックスの設置場所の探知具としては、例えば図１６〜１８に示されるように、ベース部材３１と、ベース部材３１上に取り付けられて室３２を形成するキャップ部材３３、および室３２内にベース部材３１の上方に枢支されるマグネット指示体３４からなるものが存在する。前記ベース部材３１は、平らなベース部分３１ａと、このベース部分３１ａから直立している断面が略四角形状の側壁部分３５よりなるものとしている。前記マグネット指示体３４は、細長棒状のマグネットＭと、このマグネットＭの上半分を被覆する合成樹脂製スリーブ３６よりなるものとしていた（特許文献３）。
【０００４】
このように構成された従来の配線用ボックス探知具は、壁裏面に設置された配線用ボックスの設置場所を探知するには、ベース部材３１のベース部分３１ａを壁表面に沿わせて移動させればよい。すなわち、ベース部材３１のベース部分３１ａを壁表面に沿わせて移動させていくと、マグネット指示体３４が回動して、壁表面に対して直角になる位置を見つけることができる。この位置は、前記配線用ボックスの磁石Ｍとこの探知具のマグネットＭとが丁度合致した位置であるので、これによって壁裏面に設置された配線用ボックスの設置場所を探知することができる。
【特許文献１】実開昭４８−１１３６９８号公報（第１頁、図１）
【特許文献２】特開２０００−３０８２３５号公報（第１頁、図１、３）
【特許文献３】特公昭５４−３５５０４号公報（第３頁、図１、２、４）
【発明の開示】
【発明が解決しようとする課題】
【０００５】
しかしながら、従来の配線用ボックス探知具は、上記したように壁裏面に設置された配線用ボックスの設置場所を探知するために、ベース部材３１のベース部分３１ａを壁表面に沿わせて移動させるのであるが、マグネット指示体３４は二次元的にしか回動しないため、その壁表面に沿わせて移動させる移動線上に配線用ボックスの磁石Ｍがこないと、マグネット指示体３４は回動せず、配線用ボックスの設置場所を正確に探知することができない。
【０００６】
そのため、従来の配線用ボックス探知具は、前記移動線上に配線用ボックスの磁石Ｍがくるまで何度もベース部材３１のベース部分３１ａを壁表面に沿わせて移動させなければならず、配線用ボックスの設置場所を探知するのに手間がかかるという問題点を有していた。
【０００７】
そこで、この発明は、上記従来の問題点を解決するものであり、マグネット指示体のような指示部材を三次元的に回動するものとして、壁裏面に設置された配線用ボックスの設置場所を素早く探知することのできる配線用ボックス探知具を提供することを目的としてなされたものである。
【課題を解決するための手段】
【０００８】
そのため、この発明の配線用ボックス探知具は、平面部１ａを有するベース部材１と、このベース部  材１に設置された指示部材２とからなり、指示部材２は磁石棒または磁石に引き寄せられる素材からなる棒体４が球体５の中心線上に設けられており、この指示部材２を三次元的に回動するようにしたものとしている。
【０００９】
そして、この発明の配線用ボックス探知具は、前記指示部材２を、球体５の中心点を中心として向かい合う球体５表面上の２支点をこの球体５を包囲する円形状のリング体６に軸支し、さらにリング体６の中心点を中心として向かい合うリング体６表面上の２支点をベース部材１に対向するように突設した支持体７、７に軸支したものとすることができる。
【００１０】
さらに、この発明の配線用ボックス探知具は、前記棒体４の両端を球体５表面に露出させたものとし、この棒体４の両端に目印を付けたものとすることができる。
【００１１】
また、この発明の配線用ボックス探知具は、前記棒体４の両端を球体５表面に露出させないものとし、この棒体４の両端の延長線上の球体５表面に目印を付けたものとすることができる。
【００１２】
さらに、この発明の配線用ボックス探知具は、前記指示部材２を、ベース部材１に突設した透明なドーム部材８内にこのドーム部材８の内面に沿うようにして配置したものとすることができる。
【発明の効果】
【００１３】
この発明の配線用ボックス探知具は、以上に述べたように構成されているので、指示部材２が三次元的に回動するものとなり、ベース部材１を壁表面に沿わせて移動させれば、その移動させる移動線上に配線用ボックスの磁石Ｍがこなくても、この磁石Ｍの方向を指示部材２の棒体４が差し示すので、徐々にその方向にベース部材１を近づけていけば、指示部材２がその方向に回動して、壁表面に対して棒体４が直角になる位置を簡単に見つけることができ、壁裏面に設置された配線用ボックスの設置場所を素早く探知することができるものとなる。
【発明を実施するための最良の形態】
【００１４】
以下、この発明の配線用ボックス探知具の実施の形態を、図面に基づいて詳細に説明する。
【００１５】
この発明の配線用ボックス探知具は、図１〜７に示すように、平面部１ａを有するベース部材１と、このベース部材１に設置された指示部材２とからなる。
【００１６】
前記ベース部材１は、材質や大きさ等は特に問わないが、合成樹脂等で作成された透明体とするのが、探知している最中に壁表面の状態等が確認できるので好ましく、配線用ボックスの平面形状と略同一形状とした板体するのが、配線用ボックスの設置場所を探知したとき、その配線用ボックスの大きさを予想できるので好ましい。
【００１７】
さらに、前記ベース部材１には、必要に応じて、水準器３を設けたものとすることができる。この水準器３は、横長の円筒３ａに液泡を発生させた液体を入れものとしており、この液泡が横長の円筒３ａの中央に位置するときに水平を示すものとしている。
【００１８】
前記指示部材２は、一端をＮ極とし他端をＳ極とした磁石棒、または鉄やニッケル等のような磁石に引き寄せられる素材からなる棒体４が球体５の中心線上にその棒体４の両端を球体５表面に露出させるように、または露出させないようにして設けられており、この球体５の中心点を中心として前記棒体４と直交するようにして向かい合う球体５表面上の２支点をこの球体５を包囲する円形状のリング体６に軸支し、さらにリング体６の中心点を中心として向かい合うリング体６表面上の２支点をベース部材１に対向するように突設した支持体７、７に軸支したものとして、三次元的に回動するようにしている。なお、前記棒体４は、図示したものでは球体５を半球５ａの二分割体として、これを組み立てるときにその球体５の中心線上に設けたものとしているが、球体５の中心線上に貫通孔を設け、この貫通孔に差し込むなどして、その球体５の中心線上に設けたものとしてもよい。
【００１９】
また、前記棒体４の両端を球体５表面に露出させるようにしている場合には、この両端に着色を施すなどして目印を付けたものとし、前記棒体４の両端を球体５表面に露出させないようにしている場合には、この棒体４の両端の延長線上の球体５表面に、着色を施すなどして目印を付けたものとしている。
【００２０】
さらに、前記指示部材２は、ベース部材１に突設した透明なドーム部材８内にこのドーム部材８の内面に沿うようにして配置したものとしている。このようにすると、前記指示部材２が外部に露出しないので、汚れによる回動不良を防止することができたり、外部からの衝撃などから保護されるものとなる。
【００２１】
なお、前記指示部材２を設置したベース部材１の裏面には、前記支持体７、７の支持板９に設けたポインター１０が突出するようにしており、このポインター１０の周囲にはクッション部材１１が配設されている。したがって、ベース部材１を壁Ｗ表面に押し付けると、クッション部材１１が収縮してポインター１０が壁Ｗ表面に当たり、その壁Ｗ表面に目印が付けられることになる。
【００２２】
また、前記指示部材２の直ぐ上のベース部材１には、貫通孔１２が設けられている。したがって、ベース部材１を壁Ｗ表面に押し付け、この貫通孔１２から鉛筆などの筆記具を差し込めば、その筆記具の先端が壁Ｗ表面に当たり、その壁Ｗ表面に目印が付けられることになる。
【００２３】
さらに、この発明の配線用ボックス探知具は、前記ベース部材１を、例えば図８〜１０に示したような適宜の形状として実施することができる。図８に示したものでは、前記ベース部材１を、平面視で外形を略逆Ｌ字状としている。このようにすると、前記ベース部材１の略逆Ｌ字状の内周辺部１Ａに筆記具等を沿わせることにより、罫書き作業が行えるものとなる。さらに、図９に示したものでは、前記ベース部材１を、平面視で外形を縦長の長方形とし、この長方形より小さい長方形を内側にくり抜いた形状としている。このようにすると、前記ベース部材１の内側の長方形状のくり抜き周辺部１Ｂに筆記具等を沿わせることにより、罫書き作業が行えるものとなる。また、図１０に示したものでは、前記ベース部材１を、平面視で外形を縦長の長方形とし、内側にこの長方形より小さい長方形を全体形状として象ったスリット孔１Ｃを形成したものとしている。このようにすると、前記ベース部材１のスリット孔１Ｃに筆記具等を沿わせることにより、罫書き作業が行えるものとなる。
【００２４】
以上のように構成したこの発明の配線用ボックス探知具は、壁裏面に設置された配線用ボックスの設置場所を探知する場合には、例えば次のようにして行う。
【００２５】
先ず、図１４に示すような従来の配線用ボックスＢが壁Ｗの裏面に設置されている場合には、図１１に示すように、その配線用ボックスＢが設置されていると予想される壁Ｗの表面に、水準器３によりベース部材１の水平を確認しながら、このベース部材１の平面部１ａを沿わせて移動させる。
【００２６】
すると、指示部材２の棒体４が配線用ボックスＢの磁石Ｍに引き付けられるので、この棒体４が三次元的に回動し、前記棒体４の一端が配線用ボックスＢの磁石Ｍの方向に向く。そこで、この棒体４の一端が向く方向に探知具を移動させ、棒体４が壁Ｗの表面に対して直角になる位置を見つける。この位置は、図１２に示すように、指示部材２の棒体４と前記配線用ボックスＢの磁石Ｍとが丁度合致した位置であるので、これによって壁Ｗの裏面に設置された配線用ボックスＢの設置場所を探知することができる。なお、前記指示部材２の棒体４が一端をＮ極とし他端をＳ極とした磁石棒である場合、配線用ボックスＢの磁石Ｍと向かい合う極が同極どうしになったとしても、棒体４は三次元的に回動するので配線用ボックスＢの磁石Ｍと反発する方向にスムーズに回動し、異極どうしとなって引き合い、前記棒体４の一端が配線用ボックスＢの磁石Ｍの方向に向くことになる。
【００２７】
そして、ベース部材１を壁Ｗ表面に押し付けると、クッション部材１１が収縮してポインター１０が壁Ｗ表面に当たるので、その配線用ボックスＢの設置場所に目印が付けられることになる。また、ベース部材１を壁Ｗ表面に押し付け、貫通孔１２から鉛筆などの筆記具を差し込めば、その筆記具の先端が壁Ｗ表面に当たり、その配線用ボックスＢの設置場所に目印が付けられることになる。
【００２８】
なお、前記棒体４の両端に着色を施すなどして目印を付けたものとしたり、前記棒体４の両端の延長線上の球体５表面に着色を施すなどして目印を付けたものとした場合には、棒体４が壁Ｗの表面に対して直角になると、この目印がベース部材１の真正面を向くので、その直角になったことの確認が容易にできるものとなる。
【００２９】
以上に述べたようにこの発明の配線用ボックス探知具は、ベース部材１を壁Ｗ表面に沿わせて移動させれば、その移動させる移動線上に配線用ボックスＢの磁石Ｍがこなくても、この磁石Ｍの方向を指示部材２の棒体４が差し示すので、徐々にその方向にベース部材１を近づけていけば、壁Ｗ裏面に設置された配線用ボックスＢの設置場所を素早く探知することができるものとなる。
【図面の簡単な説明】
【００３０】
【図１】この発明の配線用ボックス探知具を正面側から見た斜視図である。
【図２】この発明の配線用ボックス探知具を背面側から見た斜視図である。
【図３】この発明の配線用ボックス探知具の側面図である。
【図４】この発明の配線用ボックス探知具の正面図である。
【図５】この発明の配線用ボックス探知具の図４中のＡ−Ａ線による断面図である。
【図６】この発明の配線用ボックス探知具の分解斜視図である。
【図７】この発明の配線用ボックス探知具の指示部材の斜視図である。
【図８】この発明の配線用ボックス探知具の他の実施形態を示す正面図である。
【図９】この発明の配線用ボックス探知具のさらに他の実施形態を示す正面図である。
【図１０】この発明の配線用ボックス探知具のさらに他の実施形態を示す正面図である。
【図１１】この発明の配線用ボックス探知具を用いて壁裏面に設置された配線用ボックスの設置場所を探知する状態を示す説明図である。
【図１２】この発明の配線用ボックス探知具の指示部材の棒体と配線用ボックスの磁石とが丁度合致した状態を示す断面図である。
【図１３】従来の配線用ボックスの一例を示す斜視図である。
【図１４】従来の配線用ボックスの他の例を示す分解斜視図である。
【図１５】図１１に示す配線用ボックスに取り付けられている被探知部材の斜視図である。
【図１６】従来の配線用ボックス探知具の一例を示す斜視図である。
【図１７】図１３に示す従来の配線用ボックス探知具の一部破断側面図である。
【図１８】図１３に示す従来の配線用ボックス探知具の一部断面分解図である。
【符号の説明】
【００３１】
１  ベース部材
１ａ  平面部
２  指示部材
４  棒体
５  球体
６  リング体
７  支持体
８  ドーム体
【図１】
2008051539.tif 000003
【図２】
2008051539.tif 000004
【図３】
2008051539.tif 000005
【図４】
2008051539.tif 000006
【図５】
2008051539.tif 000007
【図６】
2008051539.tif 000008
【図７】
2008051539.tif 000009
【図８】
2008051539.tif 000010
【図９】
2008051539.tif 000011
【図１０】
2008051539.tif 000012
【図１１】
2008051539.tif 000013
【図１２】
2008051539.tif 000014
【図１３】
2008051539.tif 000015
【図１４】
2008051539.tif 000016
【図１５】
2008051539.tif 000017
【図１６】
2008051539.tif 000018
【図１７】
2008051539.tif 000019
【図１８】
2008051539.tif 000020